(57)【要約】【課題】  洗浄装置の案内装置において、洗浄する対象物の位置にかかわらず洗浄装置を洗浄位置へ案内でき、かつ案内手段の処理ユニット内における収納スペースを最小限にする。【解決手段】  印刷ユニット内に設けられ洗浄装置２が装着される支持手段４は、閉じたスタッド４７の下方に設けられている。支持手段４に装着または取り外される洗浄装置２を案内する案内手段３Ａは、洗浄装置２を案内する案内位置と印刷ユニットに収納される収納位置との間で移動可能に支持される可動案内部４０を有する。可動案内部４０は、鉛直方向へ傾斜する傾斜部４３と傾斜部４３に連続形成された水平部４４とを有し、印刷機の両側部に揺動中心をもち水平方向に揺動可能な一対の揺動部材である。水平部４４は閉じたスタッド４７の上方に設けられている。【選択図】  図４
2009083477.tif 000002
【特許請求の範囲】
【請求項１】
処理ユニット内に設けられ洗浄装置を支持する支持手段と、
前記支持手段に取り付けまたは取り外される洗浄装置を案内する案内手段とを備え、
前記案内手段が前記処理ユニットの外側に位置し洗浄装置を案内する案内位置と前記処理ユニットの内側に収納される収納位置との間で移動可能に支持される可動案内部を有する印刷機における洗浄装置の案内装置において、
前記可動案内部は、鉛直方向へ傾斜する傾斜部を有し、前記処理ユニットの両側部に回動中心をもち水平方向に回動可能な一対の回動部材であることを特徴とする洗浄装置の案内装置。
【請求項２】
前記回動部材は、前記洗浄装置を支持し前記傾斜部に連続形成された支持部を有し、前記傾斜部は前記支持部から前記処理ユニット内に向かって下方へ傾斜していることを特徴とする請求項１記載の洗浄装置の案内装置。
【請求項３】
前記支持部が閉じた位置に位置付けられたステップよりも上方に位置し、前記支持手段が閉じた位置に位置付けられたステップよりも下方に位置するように前記回動部材および支持手段が支持されることを特徴とする請求項２記載の洗浄装置の案内装置。
【発明の詳細な説明】
【技術分野】
【０００１】
本発明は、処理ユニットに対して洗浄装置を取り付けおよび取り外しをする際に、この洗浄ユニットを案内する洗浄装置の案内装置に関するものであり、好ましくは印刷機のゴム胴等を洗浄する洗浄装置を洗浄位置に案内する印刷機における洗浄装置の案内装置に関するものである。
【背景技術】
【０００２】
従来の処理機械の一例である印刷機における洗浄装置の案内装置としては、印刷機の印刷胴を保護する保護カバーの内側に、洗浄装置を案内する案内レールが設けられ、洗浄装置の案内が必要なときには、保護カバーを開くことにより印刷ユニット間に案内レールを設置するものがある（例えば、特許文献１参照）。
【特許文献１】特開２０００−１９０４６１号公報
【発明の開示】
【発明が解決しようとする課題】
【０００３】
上述した従来の印刷機における洗浄装置の案内装置においては、案内レールが保護カバーの内面と平行に設けられているため、保護カバーを開き洗浄装置を案内する案内レールは水平な状態になる。したがって、案内レールは印刷ユニット間のステップと略同じ高さでステップと平行な状態となるため、この案内レールに案内される洗浄装置はステップと同じ高さ位置で印刷ユニット内に収納されることになる。しかしながら、通常の印刷機においては、洗浄される印刷胴が必ずしもステップと同じ高さに位置付けられているとは限らないので、上述した従来の案内装置では洗浄装置を洗浄できる位置に案内することができない場合がある。これを解決するために、案内レールの高さに合わせてステップの位置や胴の位置を変更することは印刷機自体の構造を変更することになり、変更が大掛かりなものになってしまう。仮に、案内レールに傾斜を付与して洗浄装置を洗浄できる位置に案内する構造にすると、保護カバーを閉じたときに案内レールに傾斜を付与した部分が印刷ユニット内に進出することになり、印刷ユニット内の構成部品と干渉してしまう。このため、印刷ユニット内の構成部品との干渉を避けるために、印刷ユニット内に案内レールを収納するための新たなスペースを確保しなければならなくなり、印刷ユニットの大幅な変更が必要になるという問題が起きる。
【０００４】
本発明は上記した従来の問題に鑑みなされたものであり、その目的とするところは、洗浄する対象物の位置にかかわらず洗浄装置を洗浄位置へ案内でき、かつ案内手段の処理ユニット内における収納スペースを最小限とした洗浄装置の案内装置を提供するところにある。
【課題を解決するための手段】
【０００５】
この目的を達成するために、本発明は、処理ユニット内に設けられ洗浄装置を支持する支持手段と、前記支持手段に取り付けまたは取り外される洗浄装置を案内する案内手段とを備え、前記案内手段が前記処理ユニットの外側に位置し洗浄装置を案内する案内位置と前記処理ユニットの内側に収納される収納位置との間で移動可能に支持される可動案内部を有する印刷機における洗浄装置の案内装置において、前記可動案内部は、鉛直方向へ傾斜する傾斜部を有し、前記処理ユニットの両側部に回動中心をもち水平方向に回動可能な一対の回動部材である。
【０００６】
本発明は、前記発明において、前記洗浄装置を支持し前記傾斜部に連続形成された支持部を有し、前記傾斜部は前記支持部から前記処理ユニット内に向かって下方へ傾斜しているものである。
【０００７】
本発明は、前記発明のいずれか一つの発明において、前記支持部が閉じた位置に位置付けられたステップよりも上方に位置し、前記支持手段が閉じた位置に位置付けられたステップよりも下方に位置するように前記回動部材および支持手段が支持されるものである。
【発明の効果】
【０００８】
本発明によれば、洗浄する対象物の位置にかかわらず可動案内部の傾斜部により洗浄装置を案内することができ洗浄装置の取り付け／取り外しを容易にすることができる。また、可動案内部を水平方向に回動自在に支持したことにより、可動案内部を処理ユニット内に収納したときに、一対の可動案内部は、処理ユニットの左右両側から中央部へ向けて延びる状態になるので、処理ユニットの内側にほとんど入り込むことがなく、処理ユニット内の構成物に干渉するようなことがないから、案内手段の処理ユニットの内側における収納スペースを最小限とすることができる。
【発明を実施するための最良の形態】
【０００９】
以下、本発明の実施の形態を図に基づいて説明する。図１は本発明に係る洗浄装置の案内装置を実施した枚葉輪転印刷機の概略の構成を示す側面図、図２は同じく案内装置を印刷ユニット内に収納した状態を示す左半分の正面図、図３は同じく右半分を示す正面図、図４は同じく案内装置を印刷ユニット外に取り出し洗浄装置を案内している状態を示す左半分の側面図、図５は図４におけるV 矢視図、図６は同じく案内装置を印刷ユニット外に取り出し洗浄装置を案内している状態を示す右半分の側面図、図７は同じく洗浄装置を支持手段に支持させゴム胴を洗浄している状態を示す図４における要部の拡大図、図８は同じく洗浄装置を支持手段に支持させゴム胴を洗浄している状態を示す図６における要部の拡大図である。
【００１０】
図９は本発明に係る洗浄装置の案内装置において、洗浄装置が装着された状態を示す支持手段の平面図、図１０は一部を破断し展開して示す図７における X矢視図、図１１は図１０におけるXI矢視図、図１２は図４におけるXII-XII 線断面図、図１３は図２におけるXIII-XIII 線断面図、図１４は洗浄装置を案内レールの支持部に支持するための支持部材を示し、同図（Ａ）は要部のみを示す同図（Ｃ）における XIIII（Ａ）矢視図、同図（Ｂ）は同図（Ｃ）における XIIII（Ｂ）-XIIII（Ｂ）線断面図、同図（Ｃ）は正面図、図１５は同じく係合ピンの側面図、図１６は係合ピンの一端部に取り付けられる摘みを示し、同図（Ａ）は正面図、同図（Ｂ）は側面図、図１７は図９におけるXVII部の拡大図である。
【００１１】
図１は、シート状物としての紙を１枚ずつ供給するシート状物供給装置としての給紙装置７と、供給された紙を印刷する二組の処理ユニットとしての印刷ユニット６Ａ，６Ｂと、印刷された紙が排出されるシート状物排出装置としての排紙装置８とを備えた処理機械としての枚葉印刷機の概略の構成を示す側面図である。図１および図４に全体を符号１で示す印刷機における洗浄装置の案内装置は、各印刷ユニット６Ａ，６Ｂ内に設けられた洗浄対象物であり胴としてのゴム胴５の周面を洗浄する洗浄部材としての洗浄ウェブを備えた洗浄装置２を印刷ユニット６Ａ，６Ｂの外側と印刷ユニット６Ａ，６Ｂの内側との間で回動自在に支持された左右の案内手段３Ａ，３Ｂと、これら案内手段３Ａ，３Ｂを介して印刷ユニット６Ａ，６Ｂ内に案内された洗浄装置２が装着される支持手段４とによって概ね構成されている。
【００１２】
すなわち、案内手段３Ａ，３Ｂは、図１において、紙搬送方向上流側に位置する印刷ユニット６Ａでは、印刷ユニット６Ａの外側のステップ上に位置して洗浄装置２を印刷ユニットに取り付け／取り外しする状態（図４，６）、紙搬送方向下流側に位置する印刷ユニット６Ｂでは、印刷ユニット６内に収納されている状態（図２，３）で示している。ここで、印刷ユニット６Ａ，６Ｂの内側とは、後述する印刷ユニット６Ａ，６Ｂの左右のフレームの間の空間であり、このフレームと同じ外郭をした内部空間Ｅまたは印刷ユニットの左右のフレームとカバーおよびステップで覆われた内部空間Ｅのことであり、印刷ユニット６Ａ，６Ｂの外側とは、当該内部空間Ｅの外側の外部空間Ｆ、特に内部空間Ｅよりも前方または後方の空間、すなわち図１において印刷ユニット６Ａと印刷ユニット６Ｂとの間の空間や印刷ユニット６Ｂと排出装置８との間の空間を意味する（図１，４）。
【００１３】
［洗浄装置２］
次に、図９および図１４ないし図１７を用いて、洗浄装置２について説明する。洗浄装置２は、図９に示すように、互いに対向する左右の洗浄ユニットフレーム２Ａ，２Ｂを備えており、これら洗浄ユニットフレーム２Ａ，２Ｂ間には、洗浄ウェブ１２を供給する供給ロール１３と洗浄ウェブ１２を巻き取る巻取りロール１４とが設けられている。１５は洗浄ウェブ１２をゴム胴５に押し付ける洗浄パッド、１６は洗浄ウェブ１２に洗浄液を噴射する多数の洗浄ノズルを有するパイプである。
【００１４】
１９Ａ，１９Ｂは細長い平板によって形成された左右の支持板であって、これら支持板１９Ａ，１９Ｂには、円筒状に形成された間隔部材２３が一体的に設けられている。左右の洗浄ユニットフレーム２Ａ，２Ｂの一端部のそれぞれの外面には、ボルトによってスタッド１８，１８が取り付けられている。
【００１５】
支持板１９Ａ，１９Ｂは、スタッド１８に螺合されたボルト２０および間隔部材２４に挿通され各洗浄ユニットフレーム２Ａ，２Ｂに螺合されたボルト２４とによって、洗浄ユニットフレーム２Ａ，２Ｂと平行となるように洗浄ユニットフレーム２Ａ，２Ｂのそれぞれに固定されている。ボルト２０の頭部２０ａには係合部材としてのころ２１が回転自在に支持されており、このころ２１は頭部２０ａに一体に形成した鍔２０ｂによって頭部２０ａからの抜けを規制されている。このころ２１の外周面の中央部には、半径方向外側に突出した凸部２１ａが設けられている。
【００１６】
支持板１９Ａ，１９Ｂのそれぞれには、図４に示すように洗浄装置２の前後方向（矢印Ａ−Ｂ方向）に延在する係合部材としての係合体２２，２２が取り付けられている。また、支持板１９Ａ，１９Ｂは、後述するようにころ２１と係合体２２が可動案内部４０に案内されるとき可動案内部４０の側面に当接し、洗浄装置２の左右方位置を規制してころ２１と係合体２２の可動案内部４０上からの脱落を規制する。このように支持板１９Ａ，１９Ｂ、凸部２１ａおよび後述するガイド溝４３ａ，４４ａは規制部材として機能する。ころ２１、係合体２２、支持板１９Ａ，１９Ｂが洗浄装置側の係合部を構成する。なお、係合部材として、回転体としてのころ２１、棒状ガイドとしての係合体２２を例示したが、これに限定されずピン等でもよい。
【００１７】
図９に示すように、洗浄ユニットフレーム２Ａ，２Ｂの後端部（矢印Ｂ方向）の端部には、支持部材２６を取り付けるための孔２ａ（洗浄ユニットフレーム２Ｂの孔２ａは図示を省略）が設けられている。支持部材２６は、図１４に示すように、大径筒部２７と、この大径筒部２７に連設され大径筒部２７よりも僅かに小さい径に形成された中径筒部２８、この中径筒部２８に連設され中径筒部２８よりも小さい径に形成された小径筒部２９とによって構成されている。
【００１８】
大径筒部２７には大径孔２７ａが設けられ、小径筒部２９には大径孔２７ａよりも小さい径に形成された小径孔２９ａが設けられており、これら大径孔２７ａと小径孔２９ａとは、共に中径筒部２８にまたがるように互いに連通している。
【００１９】
大径筒部２７の中径筒部２８に隣接した外周部には、鍔２７ｂが突設されており、この鍔２７ｂには一対の挿通孔２７ｃが設けられている。小径筒部２９の端部には、円周方向に互いに１８０°位相がずれた位置に軸線方向に延設された一対の案内溝２９ｂ，２９ｂと、この案内溝２９ｂと円周方向に角度αだけ位相がずれた位置で、かつ円周方向に互いに１８０°位相がずれた位置に一対の係合凹部２９ｃ，２９ｃとが設けられている。
【００２０】
図１５において、３０は洗浄装置固定用係合部材としての係合ピンであって、支持部材２６の大径孔２７ａ内に摺動自在に支持される円柱状に形成されたばね受部３０ａと、小径孔２９ａ内に摺動自在に支持される本体部３０ｂとを備えている。ばね受部３０ａの端面には、ばね受部３０ａの径よりも小さい径に形成された係合部３０ｃが突設されており、本体部３０ｂには半径方向に貫通するピン孔３０ｄが設けられ、本体部３０ｂの端面には本体部３０ｂの径よりの小さい径に形成された被着部３０ｅが突設されている。ピン孔３０ｄには、図１７に示す係止部としての係止ピン３３が嵌装され、係止ピン３３の両端部８が本体部３０ｂの周面から突出している。
【００２１】
図１６において、３１は略直方体状に形成された操作部としての摘みであって、中央部に係合ピン３０の被着部３０ｅに嵌合される嵌合孔３１ａが設けられており、この嵌合孔３１ａに連通されたピン孔３２ｂとねじ孔３２ｃとが設けられている。
【００２２】
このような構成において、係合ピン３０のばね受部３０ａと支持部材２６の大径孔２７ａの底部との間に、図１７に示すように付勢部材としての圧縮コイルばね３２を弾装するようにして本体３０ｂを大径孔２７ａから小径孔２９ａ内に嵌挿し、係合ピン３０を支持部材２６内に回動自在かつ軸方向へ摺動自在に支持する。
【００２３】
この状態で、支持部材２６の中径筒部２８を洗浄ユニットフレーム２Ａ，２Ｂの孔２ａに嵌装させ、鍔２７ｂの挿通孔２７ｃに挿通させたボルト３４を洗浄ユニットフレーム２Ａ，２Ｂのねじ孔に螺合させることにより、支持部材２６を洗浄ユニットフレーム２Ａ，２Ｂに取り付ける。
【００２４】
摘み３１の嵌合孔３１に係合ピン３０の被着部３０ｅを嵌合させ、係止ピン３５を摘み３１のピン孔３１ｂに嵌装し、ねじ孔３２ｃに止めねじ（図示せず）を螺合させることにより、摘み３１を被着部３０ｅに冠着する。この状態で、係合ピン３０は圧縮コイルばね３２の弾発力によって、後述する印刷ユニット側の係合孔８１に係合する方向（図１７中左方向）に付勢されており、係止ピン３３が一対の案内溝２９ｂ，２９ｂに係合しているときには係合部３０ｃは実線に示すように支持部材２６の大径孔２７ａから外部に突出している。この状態で係合部３０ｃは係合孔８１に係合する。
【００２５】
この状態から、摘み３１を把持して係合ピン３０を圧縮コイルばね３２の弾発力に抗して右方に移動させ、係止ピン３３を案内溝２９ｂから外してから、摘み３１を円周方向に角度αだけ回動させることにより、係止ピン３３を係合凹部２９ｃに係合させる。この係合により、係合ピン３０の係合部３０ｃが支持部材２６の大径孔２７ａ内に後退する。この状態で、係合部３０ｃは係合孔８１との係合が外れる。
【００２６】
このように洗浄ユニットフレーム２Ａ，２Ｂに取り付けられた支持部材２６の大径筒部２７は、上記したころ２１よりも洗浄ユニットフレーム２Ａ，２Ｂ側に位置付けられている。すなわち、大径筒部２７は、ころ２１が案内される後述する可動案内部４０から外れた位置に位置付けられている。係合ピン３０、支持部材２６、圧縮コイルばね３２、摘み３１、係合ピン３３が洗浄装置側固定部を構成し、係合孔８１が処理ユニット側固定部を構成し、洗浄装置側固定部と処理ユニット側固定部とが洗浄装置固定装置を構成している。
【００２７】
［案内手段３Ａ，３Ｂ］
次に、図２ないし図８および図１２ならびに図１３を用いて、左右の案内手段３Ａ，３Ｂについて説明する。これら案内手段３Ａと案内手段３Ｂとは、左右対称であり、同じ構造を有しているので、ここでは左側の案内手段３Ａのみについて説明し、必要に応じて右側の案内手段３Ｂについて説明する。
【００２８】
案内手段３Ａは、印刷ユニットの外側すなわち外部空間Ｆに位置付けられ洗浄装置２を案内する図４に示す案内位置と印刷ユニットに収納される、すなわち印刷ユニットの内側（内部空間Ｅ）に位置付けられる図２に示す収納位置との間で移動可能に支持する可動案内部４０と、案内位置に位置付けられた可動案内部４０に隣接し、洗浄装置２を可動案内部４０と支持手段４との間で案内する図７に示す固定案内部４１とによって構成されている。
【００２９】
可動案内部４０は、図２に示すように基端部４２と、この基端部４２に連続し一体に形成され鉛直方向へ傾斜する傾斜部４３と、この傾斜部４３に連続し一体に形成され洗浄装置２を支持する水平方向に延設された支持部としての水平部４４とによって構成されている。
【００３０】
固定案内部４１は、図２に示すように固定ブロック４５を介して印刷ユニットのフレーム１１Ａに固定されており、上端面に、図７に示すように傾斜部４３の案内面４３ａに連設されこの案内面４３ａと同じ角度で傾斜する案内面４１ａが形成されている。この案内面４１ａには、洗浄装置２の上記したころ２１の環状凸部２１ａが係入する断面が三角形に形成されたガイド溝４１ｂが設けられている。傾斜部４３および水平部４４の案内面４３ａ，４４ａにも、ころ２１の凸部２１ａが係入する断面が三角形に形成されたガイド溝４３ｂ，４４ｂが設けられている。
【００３１】
可動案内部４０の基端部４２は、固定案内部４１に鉛直方向を指向するように取り付けられた枢軸４６に枢支され、可動案内部４０はこの枢軸４６を回動中心として水平方向へ回動可能に支持されている。すなわち、案内手段３Ａ，３Ｂの可動案内部４０，４０は、印刷ユニットの両側部に回動中心をもち水平方向に回動可能な回動部材である。可動案内部４０の水平部４４は、印刷ユニット間に設けられた閉じているときのステップ４７の上方に位置付けられており、上記した支持手段４は閉じているときのステップ４７の下方に位置付けられている。
【００３２】
ここで、案内手段３Ａ，３Ｂが印刷ユニットの内側に位置しているとき、すなわち、図２に示すように、案内手段３Ａ，３Ｂの可動案内部４０が印刷ユニットのフレームの内側面１１ａに対して略垂直で、水平部４４が他方の印刷ユニットのフレームに向かって（矢印Ｄ方向に向かって）延びているときは、可動案内部４０が印刷ユニットの内側に収納されている収納位置を占めている。一方、案内手段３Ａ，３Ｂが印刷ユニットの外側に位置しているとき、すなわち、図４に示すように、案内手段３Ａ，３Ｂの可動案内部４０が印刷ユニットのフレームの内側面１１ａに対して略平行で、水平部４４が印刷ユニットのフレームの端面１１ｂに対して略垂直に延びているときは、可動案内部４０が洗浄装置２を案内する案内位置を占めている。
【００３３】
可動案内部４０の水平部４４の回動端側には、図１３に示すように断面が逆Ｌ状に形成された支持ブロック５０が取り付けられており、この支持ブロック５０の上面には、図４、図５および図１３に示すように上記した洗浄装置２の支持部材２６の大径筒部２７が係合する係合凹部５０ａが設けられている。この支持ブロック５０の端部には、図１２に示すように鉛直方向に摺動孔５２が設けられており、この摺動孔５２の下部側は、水平部４４の長手方向に延び下方向が開口した溝部５２ａが形成されている。
【００３４】
５１は摺動孔５２に上下動自在に支持された係合部材としての係合ピンであって、上端部に操作部としてのノブ５３が軸着されており、下方側には、溝部５２ａに選択的に係入される扁平な直方体状に形成された係入部５１ａが設けられており、この係入部５１ａの下端中央部には、係合凸部５１ｂが突設されている。
【００３５】
この係合ピン５１は、ノブ５３を把持し軸線周りに回動操作し、係入部５１ａを溝部５２ａに一致させることにより、摺動孔５２内を上下方向に移動可能となる。一方、ノブ５３を把持し係合ピン５１を軸線周りに回動操作し、係入片５１ａの上端を支持ブロック５０の下端に係合させることにより、係合ピン５１の摺動孔５２内の上下方向への移動が規制される。５４はフレーム１１Ａの案内位置に位置付けられた可動案内部４０における係合ピン５１に対応した位置に固定された係止ブロックであって、上端面に係合ピン５１の係合凸部５１ｂが係合する係合凹部５４ａが設けられている。
【００３６】
このように構成されていることにより、可動案内部４０が印刷ユニット内に収納された図２に示す状態から、先ず、ノブ５３を把持し係合ピン５１を軸線周りに回動操作し、係入部５１ａを溝部５２ａに一致させて、係合ピン５１を上方に移動させ、この状態で枢軸４６を回動中心として９０°回動させてフレーム１１Ａの内側面と平行となる図４に示す洗浄装置２を案内する案内位置へ移動させる。その後、ノブ５３を下方へ移動させ、係合凸部５１ｂを係止ブロック５４の係合凹部５４ａに係合させる。なお、本実施例においてはノブ５３から手を離すことによりノブ５３は重力により下方へ移動する。
【００３７】
しかる後、係合ピン５１を９０°回動させ、係入部５１ａの上端を支持ブロック５０の下端に係合させることにより、係合ピン５１の摺動孔５２内の上下方向への移動が規制される。このように、係合凸部５１ｂを係止ブロック５４の係合凹部５４ａに係合させることにより、可動案内部４０の枢軸４６を中心とした回動が規制されるから、図４に示す可動案内部４０による洗浄装置２を案内可能とする状態が保持される。係合ピン５１、係入部５１ａ、係合凸部５１ｂ、係合凹部５４ａが可動案内部固定装置を構成している。
【００３８】
このとき、係入部５１ａの上端が支持ブロック５０の下端に係合し、かつ係入部５１ａの下端が係止ブロック５４の上端に支承されているため、この係入片５１ａを介して可動案内部４０が係止ブロック５４に支承される。これにより、可動案内部は枢軸４６と係入部５１ａとにより洗浄装置２の荷重を受けることができる。係入部５１ａは支承部としても機能する。
【００３９】
支持ブロック５０の下部には、図１３に示すように水平部４４の長手方向と直交しかつ水平方向に貫通する貫通孔５０ｂが設けられており、この貫通孔５０ｂには連結ピン６０が回動自在に支持されている。この連結ピン６０の支持ブロック５０から突出した一端部には操作部としてのノブ６１が軸着されており、支持ブロック５０から突出した他端部には規制部材としての回動片６２が軸着されている。ノブ６１の周面の一部には、図２に示すように接線方向に延在する規制部としての係合部６１ａが設けられており、支持ブロック５０の側部には、この係合部６１ａが係合する規制部としてのピン６３が植設されている。
【００４０】
６４は給水装置の水舟であって、その直下には左右のフレーム１１Ａ，１１Ｂに支持された水舟用の受皿６５が設けられており、この受皿６５の下面には、鉛直下方に延びる規制部材としての規制片６６が取り付けられている。このような構成において、可動案内部４０を印刷ユニット内に収納した図２に示す状態で、ノブ６１を一方向である図中反時計方向に回動させ平坦部６１ａの一端部をピン６３に当接させると、回動片６２が規制片６６に対向する。
【００４１】
したがって、回動片６２と支持ブロック５０とによって、図１３に示すように規制片６６を挟む状態になり、可動案内部４０の枢軸４６を回動中心とした回動が規制され、可動案内部４０は印刷ユニット内に収納された状態が維持される。一方、ノブ６１を他方向である図中時計方向に回動させ係合部６１ａの他端部をピン６３に当接させると、回動片６２の規制片６６に対する対向状態が解除される。
【００４２】
したがって、可動案内部４０は、印刷ユニット内に収納された図２に示す状態から、枢軸４６を回動中心として９０°だけ回動した洗浄装置２を案内可能とする図４に示す状態とすることができる。支持ブロック５０、ノブ６１、連結ピン６０、回動片６２、係合部６１ａが可動案内部規制装置を構成している。可動案内部固定装置、可動案内部規制装置が可動案内部を案内位置と収納位置とに位置決めする可動案内部位置決め手段を構成している。
【００４３】
［支持手段４］
次に、図７ないし図１１を用いて、支持手段４について説明する。支持手段４は、図９に示すように互いに対向する支持部材としての左右の支持レバー７０Ａ，７０Ｂを備えており、これら支持レバー７０Ａ，７０Ｂは、図１０に示すシャフト７２を介して連結されている。すなわち、シャフト７２は左右のフレーム１１Ａ，１１Ｂ間に回転自在に支持され、このシャフト７２の両端部に各案内部材７０Ａ，７０Ｂが軸着されており、このシャフト７２の一端部７２ａはフレーム１１Ａの外部に突出している。
【００４４】
図１０および図１１において、７３はシリンダエンドが軸７４を介してフレーム１１Ａに枢着された着脱手段であり駆動装置としてのエアシリンダであって、進退自在なロッド７３ａには、連結子７４およびピン７５を介してレバー７６の一端部が枢着されており、このレバー７６の他端部にはシャフト７２の一端部７２ａが軸着されている。
【００４５】
したがって、エアシリンダ７３のロッド７３ａが進退することにより、シャフト７２がレバー７６を介して図１１中反時計方向または時計方向に回動し、この回動によって支持レバー７０Ａ，７０Ｂはシャフト７２を回動中心としてシャフト７２と一体的に図７中時計方向または反時計方向に回動する。
【００４６】
図７および図８において、７７は各案内部材７０Ａ，７０Ｂに螺合された調整装置としての調整ボルトであって、下端７７ａが各案内部材７０Ａ，７０Ｂの下方に突出しており、この下端７７ａがフレーム１１Ａ，１１Ｂに固定された固定ブロック７８に当接する。この調整ボルト７７は、支持手段４に支持される洗浄装置２の洗浄ウェブ１２のゴム胴５に対する接触圧を調整するものであり、ナット７９によって調整された状態が固定される。
【００４７】
各支持レバー７０Ａ，７０Ｂには、洗浄装置２が印刷ユニットへ取り付けられる際に上記した固定案内部４１の案内面４１ａから受け渡された洗浄装置２のころ２１と係合体２２を案内する案内部８０が設けられている。この案内部８０の案内面には、図１０に示すようにころ２１の環状凸部２１ａが係入する断面が三角形に形成されたガイド溝８０ａが設けられている。
【００４８】
また、各支持レバー７０Ａ，７０Ｂの矢印Ｂ方向の端部には、図９に示すように上記した係合ピン３０の係合部３０ｃが係合する係合孔８１が設けられており、この係合孔８１に係合ピン３０の係合部３０ｃを係合させることにより、洗浄装置２が支持手段４に固定される。
【００４９】
［洗浄装置２の取り付け作業］
次に、このように構成された印刷機における洗浄装置の案内装置において、洗浄装置２を取り付ける作業について説明する。予め、エアシリンダ７３のロッド７３ａを前進させることにより、図７においてシャフト７２を時計方向に回動させ、図８においてシャフト７２を反時計方向に回動させ、支持手段４の案内部材７０Ａ，７０Ｂを二点鎖線で示すように、固定案内部４１に近接させておく。
【００５０】
次に、印刷ユニットの外側で洗浄装置の取り付け準備を行う。すなわち、洗浄装置２に備えられている摘み３１によって、係止ピン３３を、図１７に示すように圧縮コイルばね３２の弾発力に抗して案内溝２９ｂ内を図中右方に移動させ、摘み３１を角度αだけ回動させて係止ピン３３を係合凹部２９ｃに係合させる。この係合により、係合ピン３０の係合部３０ｃを支持部材２６の大径孔２７ａ内に後退させておく。
【００５１】
［案内手段３Ａ、３Ｂの案内位置への移動］
この状態で、印刷ユニットの安全カバー（図示せず）およびステップ４７を開き、図２および図３に示すように、印刷ユニット内に収納されている案内手段３Ａ，３Ｂの可動案内部４０に備えられているノブ６１を回動操作し、回動板６２を、図１３に示す規制片６６に対向した位置から対向が解除した位置に移動させる。
【００５２】
これにより、案内手段３Ａ，３Ｂの可動案内部４０が回動可能な状態になる。次に、可動案内部４０に備えられているノブ５３を回動させ、係入部５１ａを溝部５２ａに一致させて、係合ピン５１を上方に移動させる。この状態で、案内手段３Ａ，３Ｂの可動案内部４０を図２および図３に示す印刷ユニット内に収納された位置から、各枢軸４６，４６を回動中心として水平方向に９０°回動させて、図４および図６に示す洗浄装置２を案内する案内位置、すなわち印刷ユニットの外部で左右のフレーム１１Ａ，１１Ｂと平行となる位置へ移動させる。
【００５３】
そして、係合ピン５１を下方に移動させ、係合凸部５１ｂを係合凹部５４ａに係合させ、係合ピン５１を係入部５１ａが溝部５２ａと一致した状態から９０°回動させて図１２に示す状態にすることにより、係入片５１ａの上端を支持ブロック５０の下端に係合させる。
【００５４】
これにより、係合ピン５１の摺動孔５２内の上下方向への移動が規制されるから、可動案内部４０の枢軸４６を回動中心とした回動が規制され、可動案内部４０が図４および図６に示す洗浄装置２を案内する案内位置で保持・固定される。
【００５５】
［洗浄装置の洗浄位置への案内動作］
次いで、洗浄装置２の左右の各ころ２１，２１を案内手段３Ａ，３Ｂの可動案内部４０，４０の各水平部４４，４４上に載置するとともに、左右の各支持部材２６の大径筒部２７を各支持ブロック５０の係合凹部５０ａに係合させて、洗浄装置２を可動案内部４０の水平部４４，４４上に載置する。
【００５６】
このように、洗浄装置２を各水平部４４上に載置したときに、大径筒部２７を係合させる係合凹部５０ａを設けたことにより、洗浄装置２の可動案内部４０上における移動を一旦規制することができる。このため、洗浄装置２が可動案内部４０上で安定して載置され作業者が誤って洗浄装置２と接触しても洗浄装置２が動き出すことがない。そして、勝手に洗浄装置２が動き出すことがない。
【００５７】
次いで、洗浄装置２の後部側を持ち上げ係合凹部５０ａから大径筒部２７の係合を解除し、洗浄装置２を印刷ユニットの内側へ向けて（矢印Ａ方向）へ移動させることにより、係合体２２を可動案内部４０の水平部４４上に載置する。さらに、洗浄装置２を矢印Ａ方向へ移動させることにより、ころ２１と係合体２２とが可動案内部４０の水平部４４から傾斜部４３上に移動する。
【００５８】
このとき、水平部４４と傾斜部４３上にガイド溝４４ａ，４３ａが設けられているため、ころ２１の環状凸部２１ａがこれらガイド溝４４ａ，４３ａに係入することにより、洗浄装置２が水平部４４と傾斜部４３上から脱落することなく確実に案内される。また、このとき、上述したように洗浄装置２の支持板１９Ａ，１９Ｂが可動案内部４０の水平部４４および傾斜部４３の側面に当接しているため、ころ２１および係合体２２の可動案内部４０上からの脱落が防止される。
【００５９】
傾斜部４３の傾斜に沿って洗浄装置２を下降させ、固定案内部４１の案内面４１ａを介してころ２１を支持手段４の案内部８０に導入する。このとき、予め、支持手段４の案内部材７０Ａ，７０Ｂを二点鎖線で示すように、固定案内部４１に近接させているため、円滑かつ確実にころ２１を案内部８０に導入することができる。さらに、洗浄装置２を洗浄装置装着位置方向（矢印Ａ方向）へ移動させることにより、係合体２２も案内部８０に導入され洗浄装置２が支持手段４に支持される。
【００６０】
この状態で、洗浄装置２の左右のフレーム１１Ａ，１１Ｂに備えられている摘み３１を角度αだけ回動させて係止ピン３３、係合凹部２９ｃから案内溝２９ｂに係入させることにより、圧縮コイルばね３２の弾発力によって係合ピン３０が、支持レバー７０Ａ，７０Ｂに向けて移動する（図９）。したがって、係合ピン３０の係合部３０ｃが大径部２７ａから前進するため、係合部３０ｃがガイド手段４の支持レバー７０Ａ，７０Ｂの係合孔８１，８１に係合し、洗浄装置２が支持手段４に固定される。
【００６１】
［可動案内部の収納動作］
しかる後、可動案内部４０に備えられているノブ５３を略９０°回動させ、図１２に示す状態から係入部５１ａを溝部５２ａに一致させることにより、係合ピン５１を上方に移動させ、係合凸部５１ｂと係止ブロック５４の係合凹部５４ａとの係合を解除する。
【００６２】
したがって、案内手段３Ａ，３Ｂの可動案内部４０が回動可能な状態になるので、案内手段３Ａ，３Ｂの可動案内部４０を図４および図６に示す洗浄装置２を案内する案内位置から各枢軸４６，４６を回動中心として水平方向に９０°回動させて、図２および図３に示す印刷ユニット内に収納された位置へ移動させる。
【００６３】
次いで、可動案内部４０に備えられているノブ６１を回動操作し、回動板６２を、図１３に示すように規制片６６に対向した位置へ移動させることにより、可動案内部４０の移動が規制される。その後、図示を省略した安全カバーおよびステップ４７を閉じ、次いで、エアシリンダ７３のロッド７３ａを後退させることにより、図７においてシャフト７２を反時計方向に回動させ、図８においてシャフト７２を時計方向に回動させ、支持手段４の案内部材７０Ａ，７０Ｂを二点鎖線で示す位置から実線で示す洗浄位置に移動させる。洗浄装置２による洗浄動作を開始する。
【００６４】
［洗浄装置の取り外し作業］
洗浄装置２による洗浄動作が終了したら、エアシリンダ７３のロッド７３ａを前進させることにより、図７においてシャフト７２を時計方向に回動させ、図８においてシャフト７２を反時計方向に回動させ、支持手段４の案内部材７０Ａ，７０Ｂを二点鎖線で示すように、固定案内部４１に近接させる。その後、安全カバーおよびステップ４７を開き印刷ユニットの前面を開放し、印刷ユニットの内側へのアクセスを可能とする。
【００６５】
［案内手段３Ａ、３Ｂの案内位置への移動］
次いで、図２および図３に示すように、印刷ユニット内に収納されている案内手段３Ａ，３Ｂの可動案内部４０に備えられているノブ６１を回動操作し、回動板６２を、図１３に示す規制片６６に対向した位置から対向が解除した位置に移動させる。
【００６６】
これにより、案内手段３Ａ，３Ｂの可動案内部４０が回動可能な状態になる。次に、可動案内部４０に備えられているノブ５３を回動させ、係入部５１ａを溝部５２ａに一致させて、係合ピン５１を上方に移動させる。この状態で、案内手段３Ａ，３Ｂの可動案内部４０を図２および図３に示す印刷ユニット内に収納された位置から、各枢軸４６，４６を回動中心として水平方向に９０°回動させて、図４および図６に示す洗浄装置２を案内する案内位置、すなわち印刷ユニットの外部で左右のフレーム１１Ａ，１１Ｂと平行となる位置へ移動させる。
【００６７】
そして、係合ピン５１を下方に移動させ、係合凸部５１ｂを係合凹部５４ａに係合させ、係合ピン５１を係入部５１ａが溝部５２ａと一致した状態から９０°回動させて図１２に示す状態にすることにより、係入片５１ａの上端を支持ブロック５０の下端に係合させる。
【００６８】
これにより、係合ピン５１の摺動孔５２内の上下方向への移動が規制されるから、可動案内部４０の枢軸４６を回動中心とした回動が規制され、可動案内部４０が図４および図６に示す洗浄装置２を案内する案内位置で保持・固定される。
【００６９】
洗浄装置２に備えられている摘み３１によって、係止ピン３３を、図１７に示すように圧縮コイルばね３２の弾発力に抗して案内溝２９ｂ内を図中右方に移動させ、摘み３１を角度αだけ回動させて係止ピン３３を係合凹部２９ｃに係合させる。この係合により、係合ピン３０の係合部３０ｃを支持部材２６の大径孔２７ａ内に後退させ、係合部３０ｃと支持手段４の案内部材７０Ａ，７０Ｂの係合孔８１との係合を解除することにより、支持手段４に対する洗浄装置２の固定を解除する。
【００７０】
洗浄装置２を持ち上げて係合体２２およびころ２１をレバー７０Ａ，７０Ｂの案内部８０から左右の固定案内部４１の案内面４１ａへ移動させ、図７および図８において、この案内面４１ａに沿って洗浄装置２を上昇させ、係合体２２およびころ２１を可動案内部４０の傾斜部４３の案内面４３ａ上に移動させる。さらに、この傾斜部４３の案内面４３ａに沿って洗浄装置２を上昇させ、係合体２２およびころ２１を可動案内部４０の水平部４４に移動させるとともに、左右の各支持部材２６の大径筒部２７を各支持ブロック５０の係合凹部５０ａに係合させる。
【００７１】
このように、洗浄装置２の各ころ２１，２１を各水平部４４上に載置したときに、大径筒部２７を係合させる係合凹部５０ａを設けたことにより、洗浄装置２の可動案内部４０上における移動を一旦規制することができる。このため、洗浄装置２が可動案内部４０上で安定して載置され、作業者が誤って洗浄装置２と接触しても洗浄装置２が動き出すことがない。そして、勝手に洗浄装置２が動き出すことがない。洗浄装置２を可動案内部４０の水平部４４から持ち上げて印刷ユニットの機外に取り出す。
【００７２】
［可動案内部の収納動作］
しかる後、可動案内部４０に備えられているノブ５３を略９０°回動させ、図１２に示す状態から係入部５１ａを溝部５２ａに一致させることにより、係合ピン５１を上方に移動させ、係合凸部５１ｂと係止ブロック５４の係合凹部５４ａとの係合を解除する。
【００７３】
したがって、案内手段３Ａ，３Ｂの可動案内部４０が回動可能な状態になるので、案内手段３Ａ，３Ｂの可動案内部４０を図４および図６に示す洗浄装置２を案内する案内位置から各枢軸４６，４６を回動中心として水平方向に９０°回動させて、図２および図３に示す印刷ユニット内に収納された位置へ移動させる。次いで、可動案内部４０に備えられているノブ６１を回動操作し、回動板６２を、図１３に示すように規制片６６に対向した位置へ移動させることにより、可動案内部４０の移動を規制し、図示を省略した安全カバーおよびステップ４７を閉じる。
【００７４】
このように、洗浄するゴム胴５の位置にかかわらず、可動案内部４０の傾斜部４３により洗浄装置２を確実に案内することができ、洗浄装置２の取り付け／取り外し作業を容易にする。また、可動案内部４０を水平方向に回動自在に支持したことにより、可動案内部４０を印刷ユニット内に収納したときに、印刷ユニット内のフレームの内側面に沿う方向の空間を最小限とすることができ、可動案内部４０に設けた傾斜部４３が印刷ユニット内の構成物に干渉するようなことがないから、案内手段３の印刷ユニット内における収納スペースを効率よく使うことができる。また、係入部５１でも荷重を受けるようにしたことにより、重量物である洗浄装置２を係入部５１と枢軸４６とで支承するので、枢軸４６にかかる負荷が軽減され、可動案内部４０全体をコンパクトにすることができる。
【００７５】
なお、本実施の形態においては、可動案内部４０の傾斜部４３を水平部４４から印刷ユニット内に向かって下方へ傾斜するように形成したが、洗浄する印刷胴が閉状態のステップ４７よりも高い位置にある場合は、傾斜部４３を水平部４４から印刷ユニット内に向かって上方へ傾斜させるようにしてもよい。
【図面の簡単な説明】
【００７６】
【図１】本発明に係る洗浄装置の案内装置を実施した枚葉輪転印刷機の概略の構成を示す側面図である。
【図２】本発明に係る洗浄装置の案内装置において、案内装置を印刷機内に収納した状態を示す左半分の正面図である。
【図３】本発明に係る洗浄装置の案内装置において、案内装置を印刷機内に収納した状態を示す右半分を示す正面図である。
【図４】本発明に係る洗浄装置の案内装置において、案内装置を印刷機外に取り出し洗浄装置を案内している状態を示す左半分の側面図である。
【図５】図４における V矢視図である。
【図６】本発明に係る洗浄装置の案内装置において、案内装置を印刷機外に取り出し洗浄装置を案内している状態を示す右半分の側面図である。
【図７】本発明に係る洗浄装置の案内装置において、洗浄装置を支持手段に支持させゴム胴を洗浄している状態を示す図４における要部の拡大図である。
【図８】本発明に係る洗浄装置の案内装置において、洗浄装置を支持手段に支持させゴム胴を洗浄している状態を示す図６における要部の拡大図である。
【図９】本発明に係る洗浄装置の案内装置において、洗浄装置が装着された状態を示す支持手段の平面図である。
【図１０】一部を破断し展開して示す図７における X矢視図である。
【図１１】図１０におけるXI矢視図である。
【図１２】図４におけるXII-XII 線断面図である。
【図１３】図２におけるXIII-XIII 線断面図である。
【図１４】本発明に係る洗浄装置の案内装置において、洗浄装置を案内レールの支持部に支持するための支持部材を示し、同図（Ａ）は要部のみを示す同図（Ｃ）におけるXIIII（Ａ） 矢視図、同図（Ｂ）は同図（Ｃ）におけるXIIII（Ｂ）-XIIII（Ｂ）線断面図、同図（Ｃ）は正面図である。
【図１５】本発明に係る洗浄装置の案内装置において、係合ピンの側面図である。
【図１６】本発明に係る洗浄装置の案内装置において、係合ピンの一端部に取り付けられる摘みを示し、同図（Ａ）は正面図、同図（Ｂ）は側面図である。
【図１７】図９におけるXVII部の拡大図である。
【符号の説明】
【００７７】
１…案内装置、２…洗浄装置、２Ａ，２Ｂ…洗浄ユニットフレーム、３Ａ，３Ｂ…案内手段、４…支持手段、６Ａ，６Ｂ…印刷ユニット（処理ユニット）、２１…ころ、２２…係合体（係合部材）、２６…支持部材、２７…大径筒部、４０…可動案内部、４１…固定案内部、４４…水平部（支持部）、４６…枢軸、４７…ステップ、５３，６１…ノブ（操作部）、６５…水舟用受皿、６６…規制片、７０Ａ，７０Ｂ…案内部材（支持部材）、７３…エアシリンダ（着脱手段、駆動装置）、８０…案内部、８１…係合孔。
【図１】
2009083477.tif 000003
【図２】
2009083477.tif 000004
【図３】
2009083477.tif 000005
【図４】
2009083477.tif 000006
【図５】
2009083477.tif 000007
【図６】
2009083477.tif 000008
【図７】
2009083477.tif 000009
【図８】
2009083477.tif 000010
【図９】
2009083477.tif 000011
【図１０】
2009083477.tif 000012
【図１１】
2009083477.tif 000013
【図１２】
2009083477.tif 000014
【図１３】
2009083477.tif 000015
【図１４】
2009083477.tif 000016
【図１５】
2009083477.tif 000017
【図１６】
2009083477.tif 000018
【図１７】
2009083477.tif 000019